(57)【要約】    【課題】      視覚障害者などが点字形式によるダイヤルキー操作で容易に文字入力を行うこと。    【解決手段】  携帯通信端末１における１２個のキー群２の各キーに５０音の各行を割り振り、それぞれのキーに６つの点の突起を設けると共に、決定ボタン３、切替ボタン４、文字送りボタン５、及び表示部６を配置する。例えば、キー群２の「あ」行キーを２回押下すると「い」の文字入力が行われて対応する突起が飛び出す。「あ」行キーを押下するたびに、「あ」→「い」→「う」→「え」→「お」というように入力文字が切り替わると共に、対応する文字ごとに６つの点の突起が飛び出す。また、所望のキーを押下するごとに割り振られた行の音を報知する。入力文字を決定するときは、キー群２における他の行のキーを押下するか、または決定ボタン３を押下する。さらに、入力文字モードを切り替えるときは切替ボタン４を押下する。  【選択図】      図１
2006091775.tif 000002
【特許請求の範囲】
【請求項１】
ダイヤルキー群を利用して点字形式による文字入力を行う携帯通信端末であって、
前記ダイヤルキー群は、５０音の各行ごとにキーが割り振られていると共に、それぞれの前記キーごとに複数の突起が形成され、
前記ダイヤルキー群から所望のキーが押下されると、そのキーの突起が入力文字に対応する凹凸状態となり、
押下されたキーと異なるキーが押下されたときに前記入力文字が決定されることを特徴とする携帯通信端末。
【請求項２】
前記ダイヤルキー群のうち、「わ」行または「や」行が割り振られたキーに対して、促音、読点、句点、および長音が割り振られることを特徴とする請求項１に記載の携帯通信端末。
【請求項３】
前記ダイヤルキー群のうち、５０音の各行が割り当てられたキー以外の２つのキーを用いて、濁音、半濁音、拗音、拗濁音、拗半濁音、合拗音、および特殊音が入力されると共に、前記２つのキーによる突起が入力情報に対応する凹凸状態となることを特徴とする請求項２に記載の携帯通信端末。
【請求項４】
複数の突起から形成される点字表示部を備え、前記ダイヤルキー群から所望のキーが押下されると、前記点字表示部の突起が入力文字に対応する凹凸状態となることを特徴とする請求項１乃至請求項３の何れかに記載の携帯通信端末。
【請求項５】
前記ダイヤルキー群のうち、所望のキーが押下されたときの入力文字モードを５０音、数字、およびアルファベットに変化させると共に、前記入力文字モードの情報を表示させる切替ボタンを備えることを特徴とする請求項１乃至請求項４の何れかに記載の携帯通信端末。
【請求項６】
所望のキーが押下されて入力文字が決定されたとき、前記入力文字が音声によって報知されることを特徴とする請求項１乃至請求項５の何れかに記載の携帯通信端末。
【請求項７】
前記ダイヤルキー群は、電子メールの表示及び電話帳の名前表示を文字情報によって行うことを特徴とする請求項１乃至請求項６の何れかに記載の携帯通信端末。
【請求項８】
ダイヤルキー群を利用して点字形式による文字入力を行う携帯通信端末への点字入力方法であって、
前記ダイヤルキー群から所望のキーを選択して押下するごとに、前記キーに形成された突起が入力文字に対応する凹凸状態となるステップと、
押下されたキーに続いて異なるキーが押下されたときに前記入力文字が決定されるステップと、
前記入力文字が決定されたときに、その入力文字が音声によって報知されるステップと、
を含むことを特徴とする携帯通信端末への点字入力方法。
【発明の詳細な説明】
【技術分野】
【０００１】
本発明は、点字入力が可能な携帯電話機などの携帯通信端末に関し、特に、通信用のダイヤルキーを利用して点字形式による文字入力が可能な携帯通信端末、及び携帯通信端末への点字入力方法に関する。
【背景技術】
【０００２】
従来より、ダイヤルキー（以下、単にキーと云うこともある）を利用し、点字形式によって所望の文字を入力することができる携帯電話機が知られている。例えば、第１の押下キーと第２の押下キーの組合せで所望の文字を入力する携帯電話機や、キーの押下回数によって所望の文字を入力する携帯電話機などが知られている。ところが、これらの携帯電話機は文字のキーへの割り当て方が統一していなかったり、各種文字や英数字などのキー割り当てが複雑であったりして、視覚障害者などにとっては極めて使い勝手が悪いものであった。
【０００３】
そこで、このような不具合を解決するために、携帯通信端末のダイヤルキーパッド（０〜９、＊、＃）のうちの１個のテンキー（つまり、２、３、５、６、８、９の何れか）を１個の点字枠とみなし、点字の凸点を上記のテンキーの押下に対応させて点字形式による文字入力を行うと共に、音声によってその文字を表現する技術が開示されている。この技術は、例えば、文字「ケ」を入力する場合、その点字パターンに応じて凸部に対応するテンキー（２、３、５、９）を押下するものである。このような技術によれば、視覚障害者の使い慣れた点字パターンでキー操作を行って文字入力を実行することができると共に音声によってサポートされる。したがって、視覚障害者などのユーザにとって使い勝手のよい携帯電話機を提供することができる（特許文献１参照）。
【特許文献１】特開２００１−４５１３５号公報
【発明の開示】
【発明が解決しようとする課題】
【０００４】
しかしながら、上記の特許文献１などに開示された従来の携帯電話機は、使い勝手上において次のような幾つかの不具合な点がある。すなわち、点字割り当て部分以外のボタンを間違えて押してしまうこともあるので文字入力がしづらい。さらに、濁音や半濁音などを入力する際に、ボタンのモードを切り替える必要があるので操作に手間がかかる。また、文字を音声で読むことによって周囲の人にプライバシーが漏れるおそれがある。さらには、点字表示部を別に持たせると携帯電話機が大きくなってしまい、ハンディタイプの利点を損ねてしまう。
【０００５】
本発明はかかる点に鑑みてなされたものであり、視覚障害者などが点字形式によるダイヤルキー操作で容易に文字入力を行うことができる携帯電話機などの携帯通信端末を提供すると共に、その携帯通信端末への点字入力方法を提供することを目的とする。
【課題を解決するための手段】
【０００６】
本発明の携帯通信端末は、ダイヤルキー群を利用して点字形式による文字入力を行う携帯通信端末であって、ダイヤルキー群は、５０音の各行ごとにキーが割り振られていると共に、それぞれのキーごとに複数の突起が形成され、ダイヤルキー群から所望のキーが押下されると、そのキーの突起が入力文字に対応する凹凸状態となり、押下されたキーと異なるキーが押下されたときに入力文字が決定される構成を採る。
【０００７】
このような構成によれば、ダイヤルキー群は５０音の行ごとにキーが割り振られ、それぞれのキーに例えば６つの点の突起を設けられている。そして、押下したキーに続いて他キーを押下するごとに、先に押下したキーに割り振られた行の入力文字が決定される。これによって、入力したい文字を確実に選択することができるので入力ミスがなくなる。
【０００８】
また、本発明の携帯通信端末は、前記の構成に加えて、ダイヤルキー群のうち、「わ」行または「や」行が割り振られたキーに対して、促音、読点、句点、および長音が割り振られる構成を採っている。
【０００９】
このような構成によれば、促音、読点、句点、および長音は、「わ」行または「や」行のキーの行の後の部分に割り振っているので、新たに切替ボタン設けなくても入力を行うことができると共にキーの押下回数を少なくすることができる。
【００１０】
また、本発明の携帯通信端末は、前記の構成に加えて、ダイヤルキー群のうち、５０音の各行が割り当てられたキー以外の２つのキーを用いて、濁音、半濁音、拗音、拗濁音、拗半濁音、合拗音、および特殊音が入力されると共に、２つのキーによる突起が入力情報に対応する凹凸状態となる構成を採っている。
【００１１】
このような構成によれば、５０音の行が割り当てられたキー以外の２つのキーは横に並んでいて、その２つのキーによって例えば１２点の突起を用いて濁音や拗音などの点字を入力することができる。これによって、新たに切替ボタンを設けなくても濁音や拗音などを入力することが可能となる。
【００１２】
また、本発明の携帯通信端末は、前記の構成に加えて、複数の突起から形成される点字表示部を備え、前記ダイヤルキー群から所望のキーが押下されると、前記点字表示部の突起が入力文字に対応する凹凸状態となる構成を採っている。
【００１３】
このような構成によれば、端末が小さくダイヤルキーが小さい場合においても、キーよりも大きい点字表示部を設けることによって、入力文字の認識を確実に行うことができるので、文字の入力を容易に行うことができる。
【００１４】
また、本発明の携帯通信端末は、前記の構成に加えて、ダイヤルキー群のうち、所望のキーが押下されたときの入力文字モードを５０音、数字、およびアルファベットに変化させると共に、入力文字モードの情報を表示させる切替ボタンを備える構成を採っている。
【００１５】
このような構成によれば、文字の切替ボタンを押すたびにキーにおける入力文字モードが、５０音→数字→アルファベットと変化し、その入力文字モードが何であるかを切替えボタンによって判断することができる。このようにして切替ボタンによって入力文字モードを確認することができるので入力ミスが少なくなる。
【００１６】
また、本発明の携帯通信端末は、前記の構成に加えて、所望のキーが押下されて入力文字が決定されたとき、その入力文字が音声によって報知される構成を採っている。
【００１７】
このような構成によれば、入力した文字を決定した時点で音声によって文字を読み上げるので、入力した文字が正しいか否かを直ちに確認することができる。
【００１８】
また、本発明の携帯通信端末は、前記の構成に加えて、ダイヤルキー群は電子メールの表示及び電話帳の名前表示を文字情報によって行う構成を採っている。
【００１９】
このような構成によれば、電子メールの表示や電話帳の名前表示等の文字表示をダイヤルキーで行うので周囲の人に内容を知られるおそれはない。さらに、電子メールの表示や電話帳の名前表示を行うための表示部を別途設ける必要がないので、携帯通信端末の小型化を図ることができる。
【００２０】
また、本発明は携帯通信端末への点字入力方法を提供することもできる。すなわち、ダイヤルキー群を利用して点字形式による文字入力を行う携帯通信端末への点字入力方法であって、ダイヤルキー群から所望のキーを選択して押下するごとに、キーに形成された突起が入力文字に対応する凹凸状態となるステップと、押下されたキーに続いて異なるキーが押下されたときに入力文字が決定されるステップと、入力文字が決定されたときに、その入力文字が音声によって報知されるステップとを含む手順を採っている。
【発明の効果】
【００２１】
本発明の携帯通信端末によれば、５０音の各行ごとにキーが割り振られていると共にそれぞれのキーに複数の突起を設けられているので、入力したい文字を確実に選択することができる。したがって、視覚障害者などであっても、文字入力のミスをほぼ確実に防ぐことができる。また、促音、読点、句点、および長音なども、例えば「わ」行や「や」行のキーに割り振られているので、新たに切替ボタン設けなくても所望の文字入力を行うことができると共に、キーの押下回数を少なくすることができる。
【００２２】
また、本発明の携帯通信端末によれば、５０音の行が割り当てられたキー以外の２つのキーを用い、その２つのキーの突起の組合せを頼りにして濁音や拗音などの点字を入力することができる。これによって、新たに切替ボタンを設けなくても濁音や拗音などを容易に入力することができる。さらに、文字の切替ボタンを押すたびにキーにおける入力文字モードが、５０音→数字→アルファベットと変化し、その入力文字モードが何であるかを切替えボタンによって判断することができる。これにより、切替ボタンによって入力文字モードを確認することができるので入力ミスが少なくなる。
【００２３】
また、本発明の携帯通信端末によれば、入力した文字を決定した時点で音声によって文字を読み上げるので、入力した文字が正しいか否かを直ちに確認することができる。さらに、電子メールの表示や電話帳の名前表示等の文字表示をダイヤルキーで行うので周囲の人に内容を知られるおそれはない。また、電子メールの表示や電話帳の名前表示を行うための表示部を別途設ける必要がないので、携帯通信端末の小型化を図ることができる。
【発明を実施するための最良の形態】
【００２４】
本発明の携帯通信端末は、ダイヤルキーなどに次のような種々の機能を持たせている。（１）５０音の各行ごとにキーを割り振り、それぞれのキーに６つの点の突起を設け、所望のキーを押下するごとに割り振られた行の音を報知するダイヤルキーを設ける。これによって、入力したい文字を確実に選択することができるので文字入力のミスがなくなる。
（２）促音（っ）、読点（、）、句点（。）、長音（ー）は、「わ」行または「や」行の後に割り振ったダイヤルキーとする。これによって、切替ボタンを新たに設けなくても文字入力が可能となると共に、ダイヤルキーを押下する回数を少なくすることができる。
（３）５０音の各行が割り当てられたダイヤルキー以外の二つのダイヤルキーを横に並べる。そして、その二つのダイヤルキーを用いて、拗音（きゃ、きゅ、きょ）など、１２点を用いる点字を文字入力できるダイヤルキーとする。これによって、新たに切替ボタンを設けなくても拗音などの文字入力が可能となる。
【００２５】
（４）文字の切替ボタンを押すたびに、ダイヤルキーにおける入力文字モードが５０音→数字→アルファベットと変化し、その入力文字モードが何であるかを切替ボタンで判断できるようにする。これによって、ユーザは切替ボタンによって入力文字モードを確認することができるので、文字を入力するときのミスが少なくなる。
（５）入力した文字を決定した時点で音声によって文字を読み上げる。但し、必要に応じて消音モードにすることもできる。これによって、入力した文字が正しいか否かの確認を行うことができると共に、必要に応じてプライバシーを確保することもできる。
（６）電子メールの表示や電話帳の名前の表示などの文字表示をダイヤルキーで行うようにする。これによって、周囲の人に内容を知られるおそれがないのでプライベートな情報が外部に漏れることはない。さらに、表示部を新たに設ける必要がなくなるので携帯電話機の小型化を図ることができる。
【００２６】
以下、図面を用いて、本発明における携帯通信端末の実施の形態の幾つかを詳細に説明する。尚、各実施の形態に用いる図面において、同一の構成要素は同一の符号を付し、かつ重複する説明は可能な限り省略する。
【００２７】
＜実施の形態１＞
図１は、本発明の実施の形態１における携帯通信端末の表面図である。また、図２は、図１に示す携帯通信端末のダイヤルキーの一部を示す図である。さらに、図３は、図１に示す携帯通信端末でダイヤルキーの操作を行ったときの動作の流れを示すフローチャートである。また、図４は、図１に示す携帯通信端末でダイヤルキーの操作を行ったときの文字の変化パターンを示す図である。尚、以下の説明ではダイヤルキーを単にキーと云うこともある。
【００２８】
図１に示すように、携帯通信端末１における１２個のキー群２の各キーに５０音の各行を割り振り、それぞれのキーに６つの点の突起を設ける。また、携帯通信端末１には、キー群２の他に、決定ボタン３、切替ボタン４、文字送りボタン５などが配置されていると共に表示部６が設けられている。図２は、図１に示すキー群２の「あ」行キーによって、文字「い」を入力したときと文字「う」を入力したときの状態を示している。例えば、「あ」行キーを２回押下すると文字「い」の入力が行われて、左側の上２つの突起が飛び出す。また、「あ」行キーを３回押下すると文字「う」の入力が行われて、左側の真中の突起と右側の一番上の突起が飛び出す。
【００２９】
すなわち、図４に示すように、「あ」行キーを押下するたびに、「あ」→「い」→「う」→「え」→「お」→「あ」というように入力文字が切り替わり、同時に、対応する文字ごとに６つの点の突起が黒丸のように飛び出す。尚、５０音の他の行についても、上記と同様な操作によって文字入力を行うことができる。
【００３０】
また、携帯通信端末１は、所望のキーを押下するごとに割り振られた行の音を報知するようになっているので、ユーザは入力したい文字を確実に選択することができ、文字入力のミスを防止することができる。尚、周囲に人がいるなどして入力文字の情報を知られたくないときは、切替ボタン４を押下して消音モードにすることができる。
【００３１】
すなわち、実施の形態１では、携帯通信端末１は図３のフローチャートに示すような動作を行う。まず、突起制御部が、各行のキーが押下されるたびに該当キーの押下情報をメモリへ送信する（ステップＳ１）。そして、突起制御部は、押下されたキーの押下情報に対応して現在表示している点字情報をメモリから取得し（ステップＳ２）、それを表示する点字情報として突起制御回路へ転送する（ステップＳ３）。すると、突起制御回路は、表示する点字情報に対応する突起位置の変更制御をキーに対して行う（ステップＳ４）。これによって、キーは、点字情報に対応する突起を飛び出させると共に、該当するキーの押下情報を突起制御部へ送信する（ステップＳ５）。
【００３２】
以上を要約すると、携帯通信端末１におけるダイヤルキーの機能は次のようになっている。キー群２の各行のキーに対して上下に稼動できる突起がそれぞれ６個設けられている。そして、それぞれのキーごとに５０音の各行が割り当てられ、各キーを押下するごとに該当する行の情報を６つの突起によって点字表示させる。言い換えれば、６つの突起がキーを押すごとに割り当てられた行の５音を表示すると共に、キー群２における他の行のキーまたは決定ボタン３を押下すると文字入力が決定できるようになっている。
【００３３】
＜実施の形態２＞
次に、本発明の実施の形態２における携帯通信端末について説明する。図５は、本発明の実施の形態２における「わ」行の文字変化パターンを示す図である。促音（っ）、読点（、）、句点（。）、長音（ー）は、「わ」行または「や」行の後に割り当てることにより、キーを押下するごとに図５に示すように文字を変化させて入力することができる。例えば、「わ」行は、「わ」、「を」、「ん」の３文字しかないので、その後に続く操作によって、促音、読点、句点、長音と変化できるようにする。このとき、対応する文字ごとの突起が図５の黒丸のような組合せで飛び出す。
【００３４】
すなわち、促音、読点、句点、長音を、「わ」行キーまたは「や」行キーに割り振ることによって、切替ボタンを新たに設けなくてもキー入力操作を行うことができると共に、キーを押下する回数を少なくすることができる。
【００３５】
＜実施の形態３＞
図６は、本発明の実施の形態３における携帯通信端末の表面図である。また、図７は、図６に示す携帯通信端末において濁音を入力したときのダイヤルキーの突起状態を示す図である。さらに、図８は、図６に示す携帯通信端末でダイヤルキーの操作を行ったときの符の変化パターンを示す図である。
【００３６】
すなわち、図６に示すように、１２個のダイヤルキーのうちの１０個に５０音の各行を割り当て、残る２つを隣り合うダイヤルキーとし、突起が１２点必要となる濁音、半濁音などの点字を表示する。例えば、「きゃ」の文字は、隣り合う２つのキーによって図７に示すような突起状態となる。つまり、文字入力を行う際に、隣り合う２つのキーの１２点の突起のうち、左側の６点の突起を表わすキーは、押下ごとに「きゃ」などの拗音や「ぱ」などの半濁音等を示す符を表して変化させ、入力したい文字の符にした後に、右側の６点の突起を表わすキーを押下して入力文字を決定する。
【００３７】
また、図８に示す符の変化パターンのように、左側の６点の突起を表わすキーは、押下ごとに、濁音（「ば」など）、半濁音（「ぱ」など）、拗音（「きゃ」など）、拗濁音（「ぎゃ」など）、拗半濁音（「ぴゃ」など）、合拗音（「ふぁ」など）、特殊音というように順次に変化する。
【００３８】
このようにして、５０音の各行を割り当てられたキー以外に２つ並んでいるキーを用いて、拗音など１２点の突起を用いる点字を文字入力することができるキーとすることにより、新たな切替ボタンを設けなくても拗音などを容易に入力することができる。
【００３９】
＜実施の形態４＞
図９は、本発明の実施の形態４における携帯通信端末の表面図である。すなわち、前述の実施の形態１から実施の形態３で述べたように、点字入力において、各キーに５０音の行や、濁音、半濁音、拗音、拗濁音、拗半濁音、合拗音、特殊音などを割り当てた上に、実施の形態４では、各キーの突起は、あ行であれば「あ」、さ行であれば「さ」といった行の頭文字を固定表示し、所望する文字のある行の該当キーを押下するごとに、その行の文字が別途設けられた点字表示部７に図４のような順番に表示される。また、濁音（「ば」など）、半濁音（「ぱ」など）、拗音（「きゃ」など）、拗濁音（「ぎゃ」など）、拗半濁音（「ぴゃ」など）、合拗音（「ふぁ」など）、特殊音も割り当てられた二つのキーを押下することで点字表示部７に表示がされる。さらに、キー群２における他の行のキーまたは決定ボタン３を押下すると文字入力が決定される。これにより、端末が小さくダイヤルキーが小さい場合においても、キーよりも大きい点字表示部を設けることによって、入力文字の認識を確実に行うことができるので、文字の入力を容易に行うことができる。
【００４０】
＜実施の形態５＞
図１０は、本発明の実施の形態５における携帯通信端末の切替ボタンの表示状態を示す図である。すなわち、前述の実施の形態１から実施の形態４で述べたように、携帯通信端末１におけるキー群２のダイヤルキーと文字の切替ボタン４を有すると共に、実施の形態５では、切替ボタン４を押すたびに、ダイヤルキーによる入力文字が５０音、数字、アルファベットと変わり、図１０のように切替ボタンの表示がそれぞれの文字の符となることによって、現在入力している文字を判別する。
【００４１】
すなわち、文字の切替ボタン４を押すたびに、ダイヤルキーにおける入力文字が５０音→数字→アルファベットと変化し、その入力文字が何であるかを切替ボタン４で判断できるようになっている。これによって、切替ボタン４で入力文字を確認することができるので文字入力のミスが少なくなる。
【００４２】
＜実施の形態６＞
図１１は、本発明の実施の形態６における切替ボタンの表示の流れを示すフローチャートである。すなわち、所望の入力文字を選択した後に（ステップＳ１１）、文字入力の決定ボタン３を押下するか（ステップＳ１２）、または、キー群２における他行のキーを押下すると（ステップＳ１３）、その押下情報がメモリへ通知されるので（ステップＳ１４）、メモリに蓄えられたそれぞれの文字に対応する音声がスピーカより出力される（ステップＳ１５）。このようにして、入力した文字を決定した時点で音声によって文字を読み上げるので、入力した文字が正しいか否かの確認を行うことができる。
【００４３】
＜実施の形態７＞
図１２は、本発明の実施の形態７における携帯通信端末のダイヤルキーを示す図であり、「いずみ」と表示した場合を示している。すなわち、電子メールの表示または電話帳の名前を表示する際に、その文字をダイヤルキーの部分に一文字ずつ表示する。このとき、１２点が必要な場合は隣り合う二つのキーを用いて表示し、文字数がボタン数より多い場合は、文字送りのボタンを押下することによって表示を次の文字へと変更させることにより対応することができる。
【００４４】
すなわち、電子メールの表示や電話帳の名前の表示などの文字表示をダイヤルキーで行うことによって、プライベートな情報が音声によって漏れることはないし、表示部を別途設ける必要がなくなるので携帯電話機の小型化を図ることができる。
【産業上の利用可能性】
【００４５】
以上説明したように、本発明に係る携帯通信端末は、極めて操作が簡単であって必要に応じてユーザの操作を支援するので、視覚障害者などに好適な携帯電話機として提供することができる。
【図面の簡単な説明】
【００４６】
【図１】本発明の実施の形態１における携帯通信端末の表面図
【図２】図１に示す携帯通信端末のダイヤルキーの一部を示す図
【図３】図１に示す携帯通信端末でダイヤルキーの操作を行ったときの動作の流れを示すフローチャート
【図４】図１に示す携帯通信端末でダイヤルキーの操作を行ったときの文字の変化パターンを示す図
【図５】本発明の実施の形態２における「わ」行の文字変化パターンを示す図
【図６】本発明の実施の形態３における携帯通信端末の表面図
【図７】図６に示す携帯通信端末において濁音を入力したときのダイヤルキーの突起状態を示す図
【図８】図６に示す携帯通信端末でダイヤルキーの操作を行ったときの符の変化パターンを示す図
【図９】本発明の実施の形態４における携帯通信端末の表面図
【図１０】本発明の実施の形態５における携帯通信端末の切替ボタンの表示状態を示す図
【図１１】本発明の実施の形態６における切替ボタンの表示の流れを示すフローチャート
【図１２】本発明の実施の形態７における携帯通信端末のダイヤルキーを示す図
【符号の説明】
【００４７】
１  携帯通信端末
２  キー群
３  決定ボタン
４  切替ボタン
５  文字送りボタン
６  表示部
７  点字表示部
【図１】
2006091775.tif 000003
【図２】
2006091775.tif 000004
【図３】
2006091775.tif 000005
【図４】
2006091775.tif 000006
【図５】
2006091775.tif 000007
【図６】
2006091775.tif 000008
【図７】
2006091775.tif 000009
【図８】
2006091775.tif 000010
【図９】
2006091775.tif 000011
【図１０】
2006091775.tif 000012
【図１１】
2006091775.tif 000013
【図１２】
2006091775.tif 000014